(57)【要約】【課題】アルペジオ演奏をする際に、少なくとも１つの音色に関しては複数のアルペジオタイプを利用可能状態にし、また、音色に応じてアルペジオタイプを選択する操作を簡単かつ効率的に行うアルペジオパターン設定装置を提供する。【解決手段】音色別アルペジオタイプ出力部２は、音色指定部１により指定される少なくとも１つの音色に関しては、複数のアルペジオタイプを利用可能状態にし、その中から少なくとも１つのアルペジオタイプを出力する。音色別アルペジオタイプ利用可能化部２ａは、音色指定部１により指定される少なくとも１つの音色に関しては、利用可能状態にする複数のアルペジオタイプを、それぞれ、複数のアルペジオタイプ選択操作子、例えば、２個のアルペジオタイプ選択操作子３１，３２に割り付ける。【選択図】  図１
2005010461.tif 000002
【特許請求の範囲】
【請求項１】
音色を指定する音色指定手段と、
前記音色指定手段により指定される音色に応じて１または複数のアルペジオタイプを利用可能状態にするとともに、前記音色指定手段により指定される少なくとも１つの音色に関しては、複数のアルペジオタイプを利用可能状態にし、前記利用可能状態にするアルペジオタイプの中から少なくとも１つのアルペジオタイプを出力する音色別アルペジオタイプ出力手段と、
該音色別アルペジオタイプ出力手段により出力されるアルペジオタイプのアルペジオパターンデータを出力するアルペジオパターンデータ出力手段、
を有することを特徴とするアルペジオパターン設定装置。
【請求項２】
前記アルペジオタイプは、音色に関連付けられたものであり、
前記音色別アルペジオタイプ出力手段は、前記音色指定手段により指定される音色に応じて、該音色に関連づけられた１または複数のアルペジオタイプの中から、一部または全部のアルペジオタイプを利用可能状態にする、
ことを特徴とする請求項１に記載のアルペジオパターン設定装置。
【請求項３】
前記音色別アルペジオタイプ出力手段は、音色別アルペジオタイプ利用可能化手段、および、アルペジオタイプ選択手段を有し、
該音色別アルペジオタイプ利用可能化手段は、前記音色指定手段により指定される音色に応じて前記１または複数のアルペジオタイプを利用可能状態にするとともに、前記音色指定手段により指定される少なくとも１つの音色に関しては、複数のアルペジオタイプを利用可能状態にし、前記利用可能状態にした１または複数のアルペジオタイプを、それぞれ、１または複数の選択操作子に割り付けるものであり、
前記アルペジオタイプ選択手段は、前記１または複数の選択操作子の選択操作に応じて、前記音色別アルペジオタイプ利用可能化手段により当該選択操作子に割り付けられているアルペジオタイプを選択して出力する、
ことを特徴とする請求項１または２に記載のアルペジオパターン設定装置。
【請求項４】
表示制御手段を有し、
該表示制御手段は、前記複数の選択操作子の中で、前記音色別アルペジオタイプ利用可能化手段により利用可能状態にされたアルペジオタイプが割り付けられたものと割り付けられていないものとを識別するために、前記各選択操作子への割り付け状態に応じて、前記各選択操作子に対応した表示個所の表示態様を異ならせる、
ことを特徴とする請求項３に記載のアルペジオパターン設定装置。
【請求項５】
表示制御手段を有し、
該表示制御手段は、前記複数の選択操作子の中で、前記アルペジオタイプ選択手段における前記選択操作子の選択状態に応じて、前記各選択操作子に対応した表示個所の表示態様を異ならせる、
ことを特徴とする請求項３または４に記載のアルペジオパターン設定装置。
【請求項６】
前記アルペジオタイプ選択手段は、前記音色指定手段により指定される少なくとも１つの音色に関して前記音色別アルペジオタイプ利用可能化手段により利用可能状態にした複数のアルペジオタイプの中から、初期状態として少なくとも１つのアルペジオタイプをランダムに選択して出力する、
ことを特徴とする請求項３から５までのいずれか１項に記載のアルペジオパターン設定装置。
【請求項７】
前記音色別アルペジオタイプ利用可能化手段は、ユーザの変更操作に従って、前記音色指定手段により指定される音色に応じて利用可能状態にするアルペジオタイプを変更する、
ことを特徴とする請求項３から６までのいずれか１項に記載のアルペジオパターン設定装置。
【請求項８】
前記音色別アルペジオタイプ利用可能化手段は、ユーザの変更操作に従って、前記音色指定手段により指定される音色に応じて利用可能状態にしているアルペジオタイプを割り付ける選択操作子を変更する、
ことを特徴とする請求項３から７までのいずれか１項に記載のアルペジオパターン設定装置。
【請求項９】
音色を指定する音色指定ステップと、
前記音色指定ステップにより指定される音色に応じて１または複数のアルペジオタイプを利用可能状態にするとともに、前記音色指定ステップにより指定される少なくとも１つの音色に関しては、複数のアルペジオタイプを利用可能状態にし、前記利用可能状態にするアルペジオタイプの中から少なくとも１つのアルペジオタイプを出力する音色別アルペジオタイプ出力ステップと、
該音色別アルペジオタイプ出力ステップにより出力されるアルペジオタイプのアルペジオパターンデータを出力するアルペジオパターンデータ出力ステップ、をコンピュータに実行させることを特徴とするアルペジオパターン設定用プログラム。
【発明の詳細な説明】
【０００１】
【発明の属する技術分野】
本発明は、シンセサイザ等の電子音楽装置などにおいて、音色に関連付けられたアルペジオタイプを選択してアルペジオパターンデータを出力するアルペジオパターン設定技術に関するものである。
【０００２】
【従来の技術】
シンセサイザ等の電子音楽装置などにおいて、押鍵に応じてアルペジオ（分散和音）を生成する機能があり、この機能は「アルペジエータ」と称される（特許文献１参照）。
「アルペジエータ」においては、複数の「キー番号」（ノート順位）と、その「発音タイミング」とを対応付けたデータが、「アルペジオパターン」として記憶装置に記憶されている。
「発音タイミング」は、発音パターンの開始時刻からの絶対時間、あるいは、前の「キー番号」（ノート順位）の発音開始タイミングからの相対時間等で、対応する「キー番号」（ノート順位）の発音開始タイミングを示す。
一方、ユーザにより、所定の鍵域において押鍵された複数の鍵のそれぞれに対応して、複数の「ノートナンバー」（音高）が指定される。
各「ノートナンバー」に対し、所定のルール（例えば、音高の低い順）に従って、上述した「キー番号」（ノート順位）が割り振られる。
アルペジオパターンの各「発音タイミング」において、順次、対応する「キー番号」（ノート順位）の割り振られた「ノートナンバー」の発音データを、例えば、鍵が押されている間において出力する。
【０００３】
図６は、アルペジオパターンデータを選択する従来の方法を示す説明図である。
シンセサイザ等の電子音楽装置において、音色に関連づけられたアルペジオタイプ群の記憶部１１には、アルペジオタイプの異なる複数のアルペジオパターンデータ７１１〜７１Ｎが、発音パターンデータ（１）〜（Ｎ）を含むファイルとして記憶されている。
アルペジオタイプには、例えば、アップオクターブ，ダウンオクターブ，アップダウンオクターブ、ランダム等、多数のタイプがある。
ユーザは、メニュー選択により、図示しないアルペジオタイプ選択画面を表示させて、例えば、アルペジオタイプ（１）を選択し、そのアルペジオパターンデータ７１１を選択する。
アルペジオ発音データ生成部５においては、選択されたアルペジオパターンデータ７１１と、ユーザが鍵盤８の１または複数の鍵を操作して指定する１または複数のノートナンバーに基づいて、アルペジオ発音データを生成し、図示しない音源部に出力する。
【０００４】
発音パターンデータには、各「発音タイミング」において、「キー番号」（ノート順位）の他に、「ゲートタイム」（音の長さ）、「ベロシティ」（音の強さ）、「オクターブシフト」の情報を含んでいてもよい。この場合、ゲートタイムやベロシティに応じた音を発生させ、オクターブシフト（アップまたはダウン）の情報に応じて、鍵盤８で指定されたノートナンバーをオクターブシフトさせた音高で発音させる。
また、発音データの再生テンポは、演奏者が任意に設定することができる。演奏者による演奏から自動検出したテンポで制御してもよい。
【０００５】
上述した説明では、アルペジオパターンデータは、演奏者によって任意に選択されるものであった。
これに対し、アルペジオパターンデータを、指定された音色に応じて自動選択する場合もある。
すなわち、各アルペジオパターンデータ７１１〜７１Ｎは、もともと発音時に使用される音色に関連づけて作成されている。例えば、タイプ（１）〜（１０）が音色（１）用、タイプ（１１）〜（２０）が音色（２）用のもの、タイプ（２１）〜（３０）が音色（３）用のもの…というように予め用意されている。
各アルペジオパターンデータ７１１〜７１Ｎが関連づけられている音色は、例えば、各アルペジオパターンデータ７１１〜７１Ｎ（ファイル）のヘッダ部に、音色番号を含めるようにすれば識別可能である。あるいは、アルペジオパターンデータ７１１〜７１Ｎが、関連づけられている音色別に分けてに記憶されていれば、識別可能である。
【０００６】
ここで、音色を指定すると、これに連動して、各音色に応じて用意されているものの中から、予め登録されていた１つのアルペジオパターンデータが設定される（特許文献２参照）。
その結果、ある音色を用いてアルペジオ演奏する際に、「アルペジオ演奏指定スイッチ」を単に操作するだけて、その音色用に予め登録されていたアルペジオタイプのアルペジオパターンデータを使用できる。
しかし、予めその音色に関連づけられていなかったアルペジオタイプ、もしくは、その音色に関連づけられてはいても、その音色に予め登録されていなかったアルペジオタイプを、「アルペジオ演奏指定スイッチ」を操作するだけで使用できるようにしたいときもある。
このような場合、音色設定メニューから、一旦、アルペジオタイプ選択メニューの画面に切り替えて、表示画面の中から所望のアルペジオタイプを探し出し、次にこれを選択する、という煩雑な操作が必要であった。
【０００７】
【特許文献１】
特開２００１‐０２２３５４号公報
【特許文献２】
特許３２７７８４４号公報（図５、００２８〜００３１段落）
【０００８】
【発明が解決しようとする課題】
本発明は、上述した問題点を解決するためになされたもので、アルペジオ演奏をする際に、少なくとも１つの音色に関しては複数のアルペジオタイプを利用可能状態にし、加えて、音色に応じて利用可能状態にしている複数のアルペジオタイプの中で、アルペジオタイプを選択する操作を簡単かつ効率的に行うアルペジオパターン設定装置およびアルペジオパターン設定用プログラムを提供することを目的とするものである。
【０００９】
【課題を解決するための手段】
本発明は、請求項１に記載の発明においては、アルペジオパターン設定装置において、音色を指定する音色指定手段と、前記音色指定手段により指定される音色に応じて１または複数のアルペジオタイプを利用可能状態にするとともに、前記音色指定手段により指定される少なくとも１つの音色に関しては、複数のアルペジオタイプを利用可能状態にし、前記利用可能状態にするアルペジオタイプの中から少なくとも１つのアルペジオタイプを出力する音色別アルペジオタイプ出力手段と、該音色別アルペジオタイプ出力手段により出力されるアルペジオタイプのアルペジオパターンデータを出力するアルペジオパターンデータ出力手段を有するものである。
従って、アルペジオ演奏をする際に、少なくとも１つのある音色を指定したとき、この音色に関しては、複数のアルペジオタイプを利用可能状態にし、その中から少なくとも１つのアルペジオタイプに応じたアルペジオパターンデータを出力することができる。
なお、出力されるアルペジオタイプは、通常、１つである。しかし、複数のアルペジオタイプを出力してもよい。この場合、複数のアルペジオパターンデータが音源部に出力され、音源部では、異なるアルペジオ演奏音が混合された楽音を生成する。
【００１０】
請求項２に記載の発明においては、請求項１に記載のアルペジオパターン設定装置において、前記アルペジオタイプは、音色に関連付けられたものであり、前記音色別アルペジオタイプ出力手段は、前記音色指定手段により指定される音色に応じて、該音色に関連づけられた１または複数のアルペジオタイプの中から、一部または全部のアルペジオタイプを利用可能状態にするものである。
従って、利用可能状態にするアルペジオタイプは、音色指定手段により指定される音色に予め関連づけられたものの中から選ばれるので、音色に適したものが選ばれる。
【００１１】
請求項３に記載の発明においては、請求項１または２に記載のアルペジオパターン設定装置において、前記音色別アルペジオタイプ出力手段は、音色別アルペジオタイプ利用可能化手段、および、アルペジオタイプ選択手段を有し、該音色別アルペジオタイプ利用可能化手段は、前記音色指定手段により指定される音色に応じて前記１または複数のアルペジオタイプを利用可能状態にするとともに、前記音色指定手段により指定される少なくとも１つの音色に関しては、複数のアルペジオタイプを利用可能状態にし、前記利用可能状態にした１または複数のアルペジオタイプを、それぞれ、１または複数の選択操作子に割り付けるものであり、前記アルペジオタイプ選択手段は、前記１または複数の選択操作子の選択操作に応じて、前記音色別アルペジオタイプ利用可能化手段により当該選択操作子に割り付けられているアルペジオタイプを選択して出力するものである。
従って、少なくとも１つのある音色を指定したときには、利用可能状態とされている複数のアルペジオタイプの中で、各アルペジオタイプが割り付けられた複数の選択操作子の選択操作に応じて、アルペジオタイプを選択する操作を簡単かつ効率的に行うことができる。特に、演奏途中においてアルペジオタイプを切り替えるときに好適である。
なお、音色別アルペジオタイプ利用可能化手段は、指定された音色に応じて利用可能状態にしたアルペジオタイプを割り付ける選択操作子を決めるのに、割り付け登録記憶手段を用いることができる。
この割り付け登録記憶手段は、音色毎に各選択操作子に割り付け登録する利用可能状態にあるアルペジオタイプを記憶したものである。データとして記憶されていてもよいし、記憶装置に記憶されたプログラム内に記述されていてもよい。
【００１２】
請求項４に記載の発明においては、請求項３に記載のアルペジオパターン設定装置において、表示制御手段を有し、該表示制御手段は、前記複数の選択操作子の中で、前記音色別アルペジオタイプ利用可能化手段により利用可能状態にされたアルペジオタイプが割り付けられたものと割り付けられていないものとを識別するために、前記各選択操作子への割り付け状態に応じて、前記各選択操作子に対応した表示個所の表示態様を異ならせるものである。
従って、複数の選択操作子の中で、アルペジオタイプが割り付けられたものと割り付けられていないものとを容易に識別できる。
利用可能状態にするアルペジオタイプの種類や個数は、音色に応じて、また、ユーザの好みによって異なる。各選択操作子の個数が一定であっても、利用可能状態にされるアルペジオタイプが割り付けられている選択操作子を容易に識別することができる。
【００１３】
請求項５に記載の発明においては、請求項３または４に記載のアルペジオパターン設定装置において、表示制御手段を有し、該表示制御手段は、前記複数の選択操作子の中で、前記アルペジオタイプ選択手段における前記選択操作子の選択状態に応じて、前記各選択操作子に対応した表示個所の表示態様を異ならせるものである。
従って、選択操作された選択操作子を容易に識別することができる。
【００１４】
請求項６に記載の発明においては、請求項３から５までのいずれか１項に記載のアルペジオパターン設定装置において、前記アルペジオタイプ選択手段は、前記音色指定手段により指定される少なくとも１つの音色に関して前記音色別アルペジオタイプ利用可能化手段により利用可能状態にした複数のアルペジオタイプの中から、初期状態として少なくとも１つのアルペジオタイプをランダムに選択して出力するものである。
従って、初期状態として選択されるアルペジオタイプがランダムに選択されることから、アルペジオ演奏に変化をつけることができる。この場合でも、利用可能状態とされたアルペジオタイプの中から選択されるので、違和感を与えることはない。
【００１５】
請求項７に記載の発明においては、請求項３から６までのいずれか１項に記載のアルペジオパターン設定装置において、前記音色別アルペジオタイプ利用可能化手段は、ユーザの変更操作に従って、前記音色指定手段により指定される音色に応じて利用可能状態にするアルペジオタイプを変更するものである。
従って、ユーザの好みによって、音色に応じて利用可能状態にするアルペジオタイプの個数や種類を変更することができる。
【００１６】
請求項８に記載の発明においては、請求項３から７までのいずれか１項に記載のアルペジオパターン設定装置において、前記音色別アルペジオタイプ利用可能化手段は、ユーザの変更操作に従って、前記音色指定手段により指定される音色に応じて利用可能状態にしているアルペジオタイプを割り付ける選択操作子を変更するものである。
従って、ユーザは好みに応じて、複数の選択操作子に割り付けるアルペジオタイプを変更することができる。
【００１７】
請求項９に記載の発明においては、上述した請求項１に記載のアルペジオパターン設定装置をコンピュータに実行させるプログラムの形態で実現するものである。
上述した請求項２ないし８に記載のアルペジオパターン設定装置も、同様に、コンピュータに実行させるプログラムの形態で実現することができる。その際、音色別アルペジオタイプ出力ステップは、音色別アルペジオタイプ利用可能化ステップ、および、アルペジオタイプ選択ステップを有する。
【００１８】
【発明の実施の形態】
図１は、本発明の実施の一形態のブロック構成図である。
音色指定部１では、例えば、ユーザが音色指定操作子１ａを操作することにより、音色が指定される。
音色別アルペジオタイプ出力部２は、音色指定部１により指定される音色に応じて、１または複数のアルペジオタイプを利用可能状態にするとともに、音色指定部１により指定される少なくとも１つの音色に関しては、複数のアルペジオタイプを利用可能状態にする。
音色別アルペジオタイプ出力部２は、次に、利用可能状態にしているアルペジオタイプの中から少なくとも１つのアルペジオタイプを出力する。
【００１９】
音色別アルペジオタイプ出力部２は、音色別アルペジオタイプ利用可能化部２ａ、割り付け登録記憶部２ｂ、アルペジオタイプ選択部２ｃを備える。
音色別アルペジオタイプ利用可能化部２ａは、音色指定部２により指定される音色に応じて、１または複数のアルペジオタイプを利用可能状態にするとともに、音色指定部１により指定される少なくとも１つの音色に関しては、複数のアルペジオタイプを利用可能状態にする。
利用可能状態にする１または複数のアルペジオタイプを、それぞれ、１または複数のアルペジオタイプ選択操作子に割り付ける。例えば、第１のアルペジオタイプを、アルペジオタイプ選択操作子３１に割り付け、第２のアルペジオタイプをアルペジオタイプ選択操作子３２に割り付ける。
【００２０】
割り付けられた１または複数のアルペジオタイプは、音色指定部１により指定された音色に応じて、例えば、それぞれ、割り付けられたアルペジオタイプ選択操作子３２に対応させて、アルペジオタイプ選択部２ｃに出力される。
アルペジオタイプ選択部２ｃは、上述した複数のアルペジオタイプ選択操作子３１〜３５の１または複数の選択操作に応じて、上述した音色別アルペジオタイプ利用可能化部２ａにより利用可能状態にされ、アルペジオタイプ選択操作子３１〜３５に割り付けられている１または複数のアルペジオタイプの中の１つのアルペジオタイプを、アルペジオパターンデータ出力部５に出力する。
【００２１】
アルペジオパターンデータ出力部５は、アルペジオタイプに対応したアルペジオパターンデータを、アルペジオ発音データ生成部７に出力する。
アルペジオパターンデータ生成部５は、音色に関連づけられたアルペジオタイプ群の記憶部１１に対し、アルペジオタイプ番号を用いて、対応するアルペジオパターンデータを参照する。アルペジオパターンデータは、例えば、図６に示したアルペジオパターンデータ７１１〜７１Ｎである。
アルペジオ発音データ生成部７は、このアルペジオパターンデータと、ユーザが操作する鍵盤８から入力される押鍵データに基づいて、従来と同様にしてアルペジオ発音データを生成し図示しない音源部に出力する。
一方、アルペジオタイプ直接選択部６は、従来技術で説明したように、一旦、アルペジオパターンデータ選択メニューの画面に切り替えて、所望のアルペジオタイプを探し出して、これを直接的に選択するものである。
【００２２】
ここで、音色別アルペジオタイプ出力部２内の、音色別アルペジオタイプ利用可能化部２ａは、音色指定部１により指定される音色に応じて、１または複数のアルペジオタイプのそれぞれを割り付ける１または複数のアルペジオタイプ選択操作子を決めるのに、割り付け登録記憶部２ｂを用いることができる。
図２は、図１に示した割り付け登録記憶部２ｂの一例を示す説明図である。
割り付け登録記憶部２ｂは、音色選択を基準に、利用可能状態になるアルペジオタイプを示すデータを記憶している。例えば、音色（１），音色（２），音色（３），…毎に、利用可能状態にされ、アルペジオタイプ選択操作子３１〜３５のそれぞれに割り付け登録されるアルペジオタイプを示すデータを記憶している。
タイプを示す欄は、アルペジオタイプ選択操作子３１〜３３の総数に応じて５カ所あり、各欄に登録番号１〜５が付けられている。
その結果、ある１つの音色に対し最大５種類のアルペジオタイプが利用可能状態にされて割り付け登録される。
【００２３】
音色（１）に対し、例えば、利用可能状態にされるアルペジオタイプ、タイプ（１），（２），（３）が、それぞれ、アルペジオタイプ選択操作子３１〜３３に割り付けられ、アルペジオタイプ選択操作子３４〜３５はアルペジオタイプが割り付けられず、未登録状態である。
音色（２）に対し、例えば、タイプ（１），（１１），（１５），（１２）、（１３）がアルペジオタイプ選択操作子３１〜３５のそれぞれに割り付けられている。
音色（３）に対し、タイプ（２３）のみがアルペジオタイプ選択操作子３２に割り付けられている。
この音色（３）のように、１つのアルペジオタイプしか利用可能状態でなく、従来と同様の場合がある。また、音色によっては、１つのアルペジオタイプも利用可能状態にされない場合があったりする。
【００２４】
また、図６を参照して説明した従来技術のように、アルペジオタイプが予め音色に関連付けられていた場合、音色別アルペジオタイプ利用可能化部２ａは、音色指定部１により指定される音色に応じて、音色に関連づけられたアルペジオタイプ群の記憶部１１を参照し、この指定される音色に関連づけられたアルペジオタイプの中から、一部または全部のアルペジオタイプを利用可能状態にしてもよい。
このようにすれば、利用可能状態にするアルペジオタイプは、音色指定部１により指定される音色に予め関連づけられたものの中から選ばれるので、音色にふさわしいものが選ばれることになる。
しかし、音色に関連づけられているアルペジオタイプの全部を利用可能状態にする必要はなく、アルペジオタイプ選択操作子３１〜３５の総数の制約や、ユーザの好みに応じてその一部を利用可能状態にすればよい。
【００２５】
従来技術の説明においては、各アルペジオタイプは、例えば、タイプ（１）〜（１０）が音色（１）用、タイプ（１１）〜（２０）が音色（２）用のもの、タイプ（２１）〜（３０）が音色（３）用のもの…というように予め用意されていた。
しかし、音色別アルペジオタイプ利用可能化部２ａは、音色指定部１により指定される音色に予め関連づけられていなかったアルペジオタイプを、この指定された音色に関して利用可能状態にしてもよい。図２に示した音色（３）の例では、割り付けられたタイプ（２３）は、もともと音色（２）に関連づけられたものであったが、音色（３）が指定されたときに、利用可能状態にされ、アルペジオタイプ選択操作子３２に割り付けられる。
【００２６】
音色に関連づけられたアルペジオタイプ群の記憶部１１には、図６に示したような音色に関連づけられたアルペジオパターンデータ７１１〜７１Ｎ以外に、音色番号と音色名とを対応づけたデータや、アルペジオタイプ番号とアルペジオタイプ名とを対応づけたデータなど、種々のデータを記憶している。
音色別アルペジオタイプ利用可能化部２ａやアルペジオタイプ選択部２ｃは、音色番号やアルペジオタイプ番号等を用いて、音色に関連づけられたアルペジオタイプ群の記憶部１１を参照することにより、音色名やアルペジオタイプ名を取得し、表示制御部９に出力し、ディスプレイ１０に表示させる。
表示制御部９は、また、音色別アルペジオタイプ利用可能化部２ａによる割り付け状態に応じて、各アルペジオタイプ選択操作子３１〜３５に対応した表示個所の表示態様を異ならせる。
すなわち、アルペジオタイプが割り付けられているか否かによって、各アルペジオタイプ選択操作子３１〜３５を表示する箇所（ボタン）の表示態様を変化させる。
【００２７】
アルペジオタイプ選択操作子３１〜３５の個数は固定されている。しかし、利用可能状態になるアルペジオタイプの種類や個数は、音色に応じて、また、ユーザの好みによって異なる。このような場合でも、アルペジオタイプが割り付けられたアルペジオタイプ選択操作子を容易に識別できる。
また、表示制御部９は、複数のアルペジオタイプ選択操作子３１〜３５の中で、選択操作されたものに対応した表示個所の表示態様と選択操作されていないものに対応した表示個所の表示態様とを異ならせる。
【００２８】
ユーザは、利用可能状態にするアルペジオタイプの個数や種類を変更したいときには、割り付け登録変更操作子４を操作する。
割り付け登録変更操作子４の所定の操作により、音色別アルペジオタイプ利用可能化部２ａは、音色指定部１により指定される音色に応じて利用可能状態にして選択操作子に割り付けるアルペジオタイプを変更し、割り付け登録記憶部２ｂの記憶内容を書き換える。
ユーザは、また、アルペジオタイプ選択操作子３１〜３５へのアルペジオタイプの割り付け状態を変更したいときにも、割り付け登録変更操作子４を操作する。割り付け登録変更操作子４の所定の操作により、音色別アルペジオタイプ利用可能化部２ａは、音色指定部１により指定される音色に応じて利用可能状態にするアルペジオタイプを割り付けるアルペジオタイプ選択操作子を変更し、割り付け登録記憶部２ｂの記憶内容を書き換える。
上述した登録変更の操作の一例については、図３，図５を参照して説明する。
【００２９】
図３は、図１に示したディスプレイ１０の表示画面の一例を示す説明図である。
図中、図１と同様な部分には同じ符号を付している。
説明を簡単にするために、表示画面２１が「タッチパネル」である場合について説明する。すなわち、表示画面２１は、ディスプレイ１０の表示画面であるととともに、音色指定部１やアルペジオタイプ選択操作子３１〜３５等の操作子でもある。
ユーザが音色を指定するときは、音色指定操作子１ａの領域（ボタン）に触れる操作をする毎に、順次、異なる音色が指定される。音色表示領域２２には、音色の指定変更に連動して音色名が表示される。
【００３０】
アルペジオタイプ選択操作子３１〜３５のそれぞれに、指定された音色に応じて利用可能状態にするアルペジオタイプが割り付け可能である。
アルペジオタイプが割り付けられている（図示の例では、アルペジオタイプ選択操作子３１〜３３）かどうかによって、アルペジオタイプ選択操作子３１〜３５に対応した表示個所の表示態様が異なっている。
図示の例では、アルペジオタイプが割り付けられているアルペジオタイプ選択操作子３１，３２，３３を表示する箇所に「音符マーク」を表示させている。
ユーザが、アルペジオタイプ選択操作子３１〜３５のある１つの領域（ボタン）に触れる操作をすることにより、このアルペジオタイプ選択操作子３１〜３５に割り付けられ、利用可能状態にあるアルペジオタイプが選択される。
そうすると、使用するアルペジオタイプを選択したアルペジオタイプ選択操作子３１に対応した表示箇所の表示態様が変わる。
図３に示す例では、選択操作されたアルペジオタイプ選択操作子３１に対応した表示箇所を反転（ハイライト）表示させる。従って、選択操作された選択操作子を容易に識別できる。
【００３１】
上述した説明では、ユーザが音色指定操作子１ａを操作して音色を指定していたが、電源起動時の初期設定状態で音色が指定される場合もある。また、曲データを自動演奏する際にアルペジエータを用いる場合は、この曲データに含まれた音色指定データにより音色が指定される場合もある。
上述した説明では、アルペジオタイプ選択部２ｃは、アルペジオタイプ選択操作子３１〜３５の複数を同時操作するなどにより、複数のアルペジオタイプを選択可能である。
また、上述した説明では、アルペジオタイプ選択操作子３１〜３５のそれぞれには、各１つのアルペジオタイプが割り当てられていた。しかし、１つのアルペジオタイプ選択操作子によって、複数のアルペジオタイプを同時選択できるようにしてもよい。この場合、複数のアルペジオタイプの組み合わせを新たなアルペジオタイプとみなしてもよい。
このように、複数のアルペジオタイプを同時に選択した場合、アルペジオパターンデータ出力部４からは、対応する複数のアルペジオパターンデータが出力され、同時に異なるアルペジオ演奏音が音源部で生成される。
図３に示した表示画面２１は、アルペジオタイプ表示領域２３に、選択されたアルペジオタイプ名を表示するが、選択されるアルペジオタイプは１つであることを前提としたものである。そのため、複数のアルペジオ選択操作子から同時に選択指示入力を受けた場合は、アルペジオタイプ表示領域２３には、例えば、後着優先でアルペジオタイプ名が表示されるようにすればよい。
【００３２】
また、電源起動時、あるいは、音色指定操作子１ａの操作により音色が切り替えられたときは、電源起動の初期状態や音色設定の初期状態として、１つのアルペジオタイプが選択されるようにすることができる。
例えば、音色に関連付けられて利用可能状態にされた１または複数のアルペジオタイプの中で、最後にその音色が指定されたときに選択されたアルペジオタイプ選択操作子３１〜３５に割り付けられていたアルペジオタイプを初期状態として選択したり、登録番号１〜５の最も小さいアルペジオタイプを、初期状態として選択したりする。
図示しない「アルペジオ演奏指定スイッチ」を操作してアルペジオ演奏を開始させたときには、その時指定されている音色に応じて、初期状態として選択されているアルペジオタイプが使用される。
また、音色に応じて利用可能状態にされてアルペジオタイプ選択操作子に割り付けられている複数のアルペジオタイプの中で、製品の工場出荷時に予めプリセットされていたものに対し、ユーザの変更操作により選択操作子に割り付けられたものの方が優先的に使用されるようにしてもよい。ユーザの変更操作により割り付けられているアルペジオタイプが複数ある場合には、その中から所定の優先順位に従って使用される。
【００３３】
また、上述した初期状態は、アルペジオタイプ選択操作子３１〜３５に割り付けられた利用可能状態にあるアルペジオタイプの中から少なくとも１つのアルペジオタイプをランダムに選択してもよい。
アルペジオ演奏に自動的に変化を与えることができる。その後、ユーザが所望のアルペジオタイプに対応するアルペジオタイプ選択操作子３１〜３５を操作すれば、所望のアルペジオタイプに変更できる。
ランダムに選択するには、例えば、ランダム関数を使用することによりランダムな数値を得て、利用可能状態にされているアルペジオタイプが割り付けられたアルペジオタイプ選択操作子３１〜３５の登録番号（１）〜（５）の中から少なくとも１つの登録番号を決めればよい。あるいは、装置内蔵時計の現在の時刻情報からランダムな数値を得てもよい。
【００３４】
図２に示したような、音色を基準に各アルペジオタイプ選択操作子３１〜３５に割り付け登録されるアルペジオタイプを示すデータは、図１の割り付け登録記憶部２ｂに、書き換え可能に記憶させてもよいし、固定的に記憶させてもよい。
同じ１つの音色を継続使用して曲を演奏しているときには、同じ音色に関連付けられたアルペジオタイプ相互の間で切り替えることになるから、内容的に違和感がない。
かつ、アルペジオタイプ選択操作子３１〜３５を押すだけであるから、簡単かつ効率的に別のアルペジオタイプに切り替えることができる。曲の演奏途中でも、円滑にアルペジオタイプを切り替えることができる。
【００３５】
音色選択の方法としては、図３に示したような、表示画面２１上の音色選択操作子１ａの操作により、操作毎に音色を切り替える方法の他、表示領域２２の下にドロップダウンリストボックスを表示させて、その中の１つを、音色選択操作子１ａの操作により選択してもよい。
また、表示画面２１を、タブダイアログ表示にして、各音色毎のタブが表示されるものとし、このタブを選択することにより、対応するそれぞれの音色設定画面に切り替えてもよい。
図示の例では、音色毎に登録できるアルペジオタイプは最大５種類としたが、５種類に限らない。
ここで、全ての音色に同数のアルペジオタイプを与える必要はない。ピアノ音色やギター音色には比較的多数のアルペジオタイプが割り付けられて利用可能状態にされる。これに対し、オルガンのような持続音系の音色には比較的少数のアルペジオタイプが割り付けられる。音色によっては、アルペジオタイプを全く関割り付けず、利用可能状態にしないようにしてもよい。
【００３６】
図示の例では、音色およびアルペジオタイプの選択のために、「タッチパネル」でもある表示画面２１を用いる方法を採用したが、これに限られない。
操作子を、表示画面２１上に設けるのに代えて、図示しない操作パネル上に設けてもよい。
表示画面２１を、見かけ上は図示のままとし、操作パネル上に設けられた、カーソル位置指定キーやマウスコントローラなどで、表示画面２１上の操作子の領域を指定して、そこで確定キーを操作することによって、これらの操作子を操作してもよい。
操作パネル上において、ディスプレイ１０の周囲に配置され、表示画面２１上の仮想的な操作子（ボタン）に対応して、その近傍に設けられた物理的実体の操作子を操作することによって、仮想的な操作子を操作してもよい。
また、表示画面２１上の仮想的な操作子を番号にアサインしておき、何らかの操作子によりその番号を入力することにより、仮想的な操作子を操作する方式でもよい。
【００３７】
図示の例では、表示画面２１上のアルペジオタイプ選択操作子３１〜３５の表示態様には、音符マーク表示や反転表示を採用しているが、例えば色を変化させるなどの方法で表示態様を異ならせてもよい。
表示画面２１とは別に、物理的実体のアルペジオタイプ選択操作子３１〜３５を操作パネル上に設けた場合にも、これらを発光ダイオードあるいはディスプレイ付きの操作子とすれば、同様にして、音色別アルペジオタイプ利用可能化部２ａによる割り付け状態がわかるようにする。各アルペジオタイプ選択操作子３１〜３５に対応した表示個所の表示態様を異ならせたり、選択状態にある選択操作子がわかるように、表示態様を異ならせることができる。
図示の例では、音色選択の画面と各音色に応じたアルペジオタイプ選択画面とを、同一画面にしている。しかし、両者を別画面にしてもよい。
なお、図６を参照して説明した従来のように、アルペジオタイプを直接的に選択する画面でアルペジオタイプを選択する方法を併用してもよい。
【００３８】
図４は、本発明の実施の一形態を実現するハードウェア構成図である。
電子音楽装置において、プログラムを実行させることにより、アルペジオパターンを設定してアルペジオ演奏をする場合を説明する。
図中、３１はバス、３２はＣＰＵ（Ｃｅｎｔｒａｌ  Ｐｒｏｃｅｓｓｉｎｇ  Ｕｎｉｔ）、３３はＲＯＭ（Ｒｅａｄ  Ｏｎｌｙ  Ｍｅｍｏｒｙ）、３４はＲＡＭ（Ｒａｎｄｏｍ  Ａｃｃｅｓｓ  Ｍｅｍｏｒｙ）である。
ＲＡＭ３４には、ＣＰＵ３２のワーキングエリアが設けられる。ＲＯＭ３３には、ＣＰＵ３２を動作させる、アルペジオパターン設定用プログラムを含む電子音楽装置制御用プログラムのほか、プリセットデータが記憶されている。図示しないタイマを設けて、テンポクロックや割込クロックの発生に利用してもよい。
ＣＰＵ３２は、ＲＯＭ３３に記憶された電子音楽装置制御用プログラムをＲＡＭ３４にロードし、各種制御を行う。
【００３９】
３５は入力操作部であり、鍵盤等の演奏入力スイッチ操作、設定スイッチ操作等を行う。鍵盤の押鍵状態によって、押鍵タイミング，ノートナンバー（音高），離鍵タイミング等の演奏データが得られる。設定スイッチは、図３に示した音色の設定を含む音源パラメータ設定や、アルペジオタイプの設定を含むアルペジオ演奏の設定、ソングデータの記録再生制御など各種の設定を行う。
なお、ＲＯＭ３３あるいは外部記憶装置３８に記憶された、ユーザ等が予め演奏した曲データの演奏データがＲＡＭ３４にロードされてメロディ演奏されるとともに、この曲データに含まれるアルペジオ制御用の押鍵情報が、アルペジオ発音データ生成部５に入力される場合もある。
３６は表示回路部であって、ディスプレイ３７（図１ではディスプレイ１０）に画像データを出力する。
外部記憶装置３８は、フラッシュメモリ，ＦＤＤ（Ｆｌｅｘｉｂｌｅ  Ｄｉｓｋ  Ｄｒｉｖｅ）等の外部記憶装置である。ＨＤＤ（ハードディスクドライブ）、ＣＤ−ＲＯＭ（コンパクトディスク・リード・オンリィ・メモリ），ＭＯ（光磁気ディスク），ＤＶＤ（ディジタル多目的ディスク）等の記録媒体用のドライブでもよい。
電子音楽装置制御用プログラムや処理に利用する各種データは、ハードディスク等にインストールしておき、それをＲＡＭ３４に読み込むようにしてもよい。
【００４０】
３９は音源回路、４０はサウンドシステムである。
ＣＰＵ３２は、入力操作部３５における鍵盤よるメロディ演奏データ、アルペジオパターンデータ生成機能を実行することによるアルペジオ演奏データ、および、自動リズムデータ等に応じて、楽音の発音開始（ノート・オン），発音終了（ノート・オフ）、楽音の音高（ノートナンバー）、楽音の音色、その他の楽音パラメータを生成して、音源回路３９に出力する。
音源回路３９は、バス３１を通じてＣＰＵ３２から演奏データとして、音源パラメータ等を入力し、演奏音を波形合成し、効果を付加してサウンドシステム４０に供給してスピーカから出力させる。
音源回路３９は、専用のハードウェアを用いるものに限らず、ＤＳＰ（Ｄｉｇｉｔａｌ  Ｓｉｇｎａｌ  Ｐｒｏｃｅｓｓｏｒ）を用いて構成してもよいし、ソフトウェア音源プログラムによってＣＰＵ３２が波形合成をしてもよい。
【００４１】
４１は、１または複数の通信インターフェースである。ＭＩＤＩ（Ｍｕｓｉｃａｌ  Ｉｎｓｔｒｕｍｅｎｔ  Ｄｉｇｉｔａｌ  Ｉｎｔｅｒｆａｃｅ）インターフェースの場合は、外部機器４２として、例えば、外部音源装置、ＭＩＤＩ鍵盤等の入力操作子をバス３１に接続する。
汎用の通信インターフェースを用いて、外部機器４２に直結、あるいはＬＡＮ（  Ｌｏｃａｌ  Ａｒｅａ  Ｎｅｔｗｏｒｋ）やインターネット等の通信ネットワークを介して、外部機器４２としてのサーバ，パーソナルコンピュータ等に接続して、演奏データの入出力を行ったり、アルペジオパターン設定用プログラムや処理に利用する各種データ等をダウンロードしてもよい。
【００４２】
図２に示した音色に応じてアルペジオタイプ選択操作子３１〜３５に割り付け登録されるアルペジオタイプの情報や、各アルペジオタイプのアルペジオパターンデータは、予めＲＯＭ３３あるいは外部記憶装置３８に記憶されていて、ＲＡＭ３４にロードされて用いられる。
あるいは、電子音楽装置制御用プログラム中に、上述した、音色に応じてアルペジオタイプ選択操作子３１〜３５に割り付け登録されるアルペジオタイプの情報およびまたはアルペジオパターンデータを含ませておいてもよい。
また、アルペジオパターンのデータについては、所定の規則に基づいて計算により発音パターンデータを作成することも可能である。
ユーザが自由に好みの割り付けを行う場合に、アルペジオタイプ選択操作子３１〜３５に対応付けられたタイプ情報を音色毎にまとめた形でディスプレイに表示し、その内容をＲＡＭ３４上で編集可能とし、編集されたものを外部記憶装置３８に保存してもよい。なお、アルペジオパターンも、同様に編集および保存が可能である。
【００４３】
図５は、図１に示したアルペジオパターン設定装置の動作を説明するフローチャートである。
Ｓ５４，Ｓ５５，Ｓ５７〜Ｓ６３の処理は、音色選択を基準にしたアルペジオタイプ設定処理であり、Ｓ５６，Ｓ６４，Ｓ６５の処理は、図１のアルペジオタイプ直接選択部６に対応する処理である。
音色に応じてアルペジオタイプ選択操作子３１〜３５に割り付けられたアルペジオタイプの選択、および、アルペジオタイプ選択操作子３１〜３５へのアルペジオタイプの割り付けの変更の動作を中心に説明する。この説明に不用なステップは省略した。
【００４４】
Ｓ５１において音色選択を行い、Ｓ５２において選択された音色に関する画面を表示する。例えば、ユーザが、図３の音色指定操作子１ａを操作する毎に音色が順次切り替え選択され、音色表示領域２２に切り替え途中を含めて音色名が表示される。
Ｓ５３において現在設定されているアルペジオタイプ（アルペジオタイプ選択部２ｃあるいはアルペジオタイプ直接選択部６等により選択され、アルペジオパターンデータ出力部５に供給されるアルペジオタイプ）を検出する。何らかのアルペジオタイプがデフォルトあるいは前回の値などとして初期設定されている。図３のアルペジオタイプ表示領域２３にアルペジオタイプ名が表示される。
Ｓ５４において、図３に示した表示画面２１への入力に変更があるか否かを判定する。変更があればＳ５５に処理を進め、なければＳ５６に処理を進める。
【００４５】
Ｓ５５において、アルペジオタイプのボタン（アルペジオタイプ選択操作子）の選択操作があったか否かを判定する。そうであればＳ５７に処理を進め、そうでなければＳ５１に戻す。
Ｓ５７において、選択されたボタン、例えば、アルペジオタイプ選択操作子３１を図示のように、ＯＮ表示（反転表示）にし、操作直前に選択状態であったボタン（アルペジオタイプ選択操作子）があれば、これをＯＦＦ表示にする。なお、このフローチャートでは、１つのアルペジオタイプのみが出力され、同時に複数のアルペジオタイプを選択して出力する機能がない場合を説明している
Ｓ５８において、選択されたボタンにアルペジオタイプが既に割り付け登録済みであれば、Ｓ５９において、現在のアルペジオタイプを、上述した割り付け登録済みのものに更新して、Ｓ６０に進める。割り付け登録済みでなければ、割り付けられていない状態にあるので直ちにＳ６０に処理を進める。
【００４６】
Ｓ６０において、選択されたボタンに割り付け登録されるアルペジオタイプを変更する操作があるか否かを判定する。
すなわち、あるボタンが選択状態であって、かつ、割り付け登録変更操作子４の登録変更操作があるか否かを判定し、そうであればＳ６１に処理を進め、そうでなければＳ５１に戻す。
ここで、アルペジオタイプの変更操作の具体例を説明しておく。
図１中、破線で示したように、アルペジオタイプ選択操作子３１〜３５の中で、選択状態とされているアルペジオタイプ選択操作子を検出する。
割り付け登録変更操作子４の領域（ボタン）に一度触れると登録変更モードとなる。以後、ユーザが割り付け登録変更操作子４に触れる操作をする毎に、アルペジオタイプ表示領域２３に表示されるアルペジオタイプ名も順次切り替わり、利用可能状態にするアルペジオタイプが順次切り替わる。
あるいは、割り付け登録変更操作子４に触れる操作により、アルペジオタイプ表示領域２３の下にドロップダウンリストを表示させ、その中から１つを選択させるようにしてもよい。また、アルペジオタイプを登録する別のメニュー画面を表示させるようにしてもよい。
【００４７】
ユーザは、また、利用可能状態にあるアルペジオタイプの、アルペジオタイプ選択操作子３１〜３５への割り付け状態を変更したいときにも、割り付け登録変更操作子４を操作すればよい。
すなわち、割り付け登録変更操作子４の領域（ボタン）に一度触れると登録変更モードとなる。ここで、選択状態になっていない、あるボタンに触れる操作をすると、このアルペジオタイプ選択操作子が新たに選択状態になり、このアルペジオタイプ選択操作子が、利用可能状態にしているアルペジオタイプの割り付け対象となる。
【００４８】
Ｓ６１において、選択されたボタン（選択状態にあるアルペジオタイプ選択操作子）に割り付け登録されるアルペジオタイプを変更し、図１に示した割り付け登録記憶部２ｂの記憶内容を書き換える。
割り付け登録されるアルペジオタイプ名は、アルペジオタイプ表示領域２３に表示される。
箇々のアルペジオタイプ選択操作子毎ではなくて、図２に示したように、アルペジオタイプ選択操作子に対応する５個の配列でアルペジオタイプを管理する場合は、選択状態とされたアルペジオタイプ選択操作子、例えば、アルペジオタイプ選択操作子３１に対応する位置、登録番号１の位置に、利用可能状態にあるアルペジオタイプが割り付け登録される。
Ｓ６２において、現在設定されているアルペジオタイプ、すなわち、図１のアルペジオタイプ選択部２ｃから出力されるアルペジオタイプについても更新し、Ｓ６３において選択されたボタンを割り付け登録済み表示にして、Ｓ５１に戻す。
【００４９】
なお、Ｓ６０において、割り付け登録変更操作子４の操作があるだけでなく、さらに図示しない確定キーが操作された場合に限り変更するようにしてもよい。
また、音色選択後の初期状態において、図３に示したボタン（アルペジオタイプ選択操作子３１〜３５）のいずれかを受け付け状態（選択状態）に設定する場合は、Ｓ５５と同時にＳ６０と同様の判定も行い、アルペジオタイプの変更操作が検出されれば、直ちに、Ｓ６１に処理を進めるようにする。
また、選択されたボタン（アルペジオタイプ選択操作子）に割り付け登録されるアルペジオタイプを、割り付け未登録状態にすることもできる。
その場合、Ｓ６１において、選択されたボタン（アルペジオタイプ選択操作子）に「未登録」を割り付けることにより、図２に示すような内部の情報では、ある登録番号の位置をアルペジオタイプの未登録状態にし、Ｓ６３において選択されたボタンを未登録表示にしてＳ５１に戻す。
【００５０】
逆に、アルペジオタイプが未登録状態である登録番号、例えば、音色（１）の登録番号（４）の位置に、アルペジオタイプを登録したい場合には、Ｓ５５において、登録番号（４）に対応するボタン（アルペジオタイプ選択操作子３４）の操作を検出することにより、このボタン（アルペジオタイプ選択操作子３４）に対応する選択指示入力を受け付ける。
その上で、Ｓ６０においてボタン（割り付け登録変更操作子４）の操作を検出する。
Ｓ６１において選択されたボタン（アルペジオタイプ選択操作子３４）に対し、新たなアルペジオタイプを割り付け、図２に示すような内部情報では、「登録番号４」の位置に、新たなアルペジオタイプを登録する。
Ｓ６２において現在のアルペジオタイプを更新し、Ｓ６３において選択されたボタン（アルペジオタイプ選択操作子３４）を割り付け登録済み表示にする。
【００５１】
一方、Ｓ５４で図３に示した表示画面２１への入力に変更があるときに進められるＳ５６においては、操作パネル上の何らかの操作子の操作によって、従来と同様の、アルペジオタイプ選択画面への切り替え操作があったか否かを判定し、あればＳ６４に処理を進め、なければスタートに処理を戻す。
なお、表示画面２１上にアルペジオタイプ選択画面への切り替え用のボタンを設けてもよい。
Ｓ６４において、アルペジオタイプの選択操作があったか否かを判定し、あればＳ６５に処理を進めて、現在のアルペジオタイプを更新し、スタートに処理を戻す。アルペジオタイプの選択操作がなかったときにもスタートに処理を戻す。
Ｓ５４からＳ５６、および、Ｓ５６，Ｓ６４，Ｓ６５からＳ５１の音色選択メニュー画面に至るには、複数のメニュー画面の切り替え操作を伴うが、ここでは省略している。
【００５２】
上述した説明では、本発明が適用される対象を鍵盤を備えた電子音楽装置であるとして説明したが、弦楽器タイプ、管楽器タイプ、打楽器タイプ等の形態をとる電子音楽装置でもよい。
鍵盤等の演奏入力操作子、音源装置等を内蔵した電子音楽装置に限らず、それぞれが別体の装置であり、専用のＭＩＤＩインターフェース、各種通信ネットワークのインターフェース等を用いて各装置が相互接続されてシステム構成される電子音楽装置に適用してもよい。
また、パーソナルコンピュータにアルペジオパターン設定用プログラムをインストールして、同様の機能を持たせることができる。鍵盤としては、ＭＩＤＩインターフェースを介して接続されるＭＩＤＩ鍵盤を用いればよい。
本発明は、電子音楽装置あるいはパーソナルコンピュータに適用した場合に限らず、カラオケ装置、ゲーム装置、携帯電話等の携帯型通信端末、自動演奏ピアノ等にも同様に適用できる。
【００５３】
【発明の効果】
本発明は、上述した説明から明らかなように、アルペジオ演奏をする際に、少なくとも１つの音色に関しては複数のアルペジオタイプを利用可能状態にすることができるという効果がある。
加えて、利用可能状態にしている複数のアルペジオタイプ相互間で、アルペジオタイプを選択する操作を簡単かつ効率的に行うことができるという効果がある。
【図面の簡単な説明】
【図１】本発明の実施の一形態のブロック構成図である。
【図２】図１に示した割り付け登録記憶部の一例を示す説明図である。
【図３】図１に示したディスプレイの表示画面の一例を示す説明図である。
【図４】本発明の実施の一形態を実現するハードウェア構成図である。
【図５】図１に示したアルペジオパターン設定装置の動作を説明するフローチャートである。
【図６】アルペジオ発音パターンを選択する従来の方法を示す説明図である。
【符号の説明】
１…音色指定部、１ａ…音色指定操作子、２…音色別アルペジオタイプ出力部、２ａ…音色別アルペジオタイプ利用可能化部、２ｂ…割り付け登録記憶部、２ｃ…アルペジオタイプ選択部、３…アルペジオタイプ選択操作子、４…割り付け登録変更操作子、５…アルペジオパターンデータ出力部、６…アルペジオタイプ直接選択部、７…アルペジオ発音データ生成部、８…鍵盤、９…表示制御部、１０…ディスプレイ、１１…音色に関連づけられたアルペジオタイプ群の記憶部
【図１】
2005010461.tif 000003
【図２】
2005010461.tif 000004
【図３】
2005010461.tif 000005
【図４】
2005010461.tif 000006
【図５】
2005010461.tif 000007
【図６】
2005010461.tif 000008